(57)【要約】【解決手段】  対応するコンピュータ可読媒体を含む装置（２０４）は、第１の送受信機と、周波数割り当て情報で示される周波数帯域で無線通信を行う第２の送受信機とを備え、第１の送受信機は、第１のデバイス（２０２）から、第１のデバイスの位置を含む第１のメッセージ（５１０）を受信する受信機と、第１のデバイスの位置、および、第１のデバイスの位置に基づいた周波数割り当て情報を求める要求を含む第２のメッセージ（５１６）を送信する送信機とを有し、受信機はさらに、周波数割り当て情報を含む第３のメッセージ（５００）を受信する【選択図】  図５
2014508483.tif 000002
【特許請求の範囲】
【請求項１】
第１の送受信機と、
周波数割り当て情報で示される周波数帯域で無線通信を行う第２の送受信機と
を備え、
前記第１の送受信機は、
第１のデバイスから、前記第１のデバイスの位置を含む第１のメッセージを受信する受信機と、
前記第１のデバイスの位置、および、前記第１のデバイスの位置に基づいた前記周波数割り当て情報を求める要求を含む第２のメッセージを送信する送信機と
を有し、
前記受信機はさらに、前記周波数割り当て情報を含む第３のメッセージを受信する装置。
【請求項２】
前記送信機はさらに、前記第１のデバイスの位置を求める要求を含む第４のメッセージを無線送信する請求項１に記載の装置。
【請求項３】
請求項１に記載の装置を備える第２のデバイス。
【請求項４】
前記第２のデバイスは、
スマートフォンと、
アクセスポイントと、
コンピュータと
から成る群から選択される
請求項３に記載の第２のデバイス。
【請求項５】
前記第１のメッセージは、正当性が証明されており、
前記装置はさらに、正当性が証明されている前記第１のメッセージに基づいて前記第１のメッセージの認証を行う認証回路を備える請求項１または２に記載の装置。
【請求項６】
前記第１のメッセージは暗号化されており、
前記装置はさらに、前記第１のメッセージを復号化する暗号回路を備える請求項１、２、または５に記載の装置。
【請求項７】
動き検出部をさらに備え、
前記第２の送受信機はさらに、前記装置が移動した旨を前記動き検出部が示すことに応じて、前記周波数割り当て情報によって示されている前記周波数帯域での無線通信を中止する請求項１、２、５および６に記載の装置。
【請求項８】
前記受信機はさらに、複数のデバイスから無線信号を受信して、
前記装置はさらに、前記無線信号の受信信号強度を測定する信号強度回路を備え、
前記受信機はさらに、前記無線信号の受信信号強度に応じて、前記第１のデバイスを選択する請求項１、２、５、６および７に記載の装置。
【請求項９】
コンピュータに、
デバイスの第１の送受信機が受信した第１のメッセージから前記デバイスの位置を取得する手順と、
前記デバイスの位置の情報、および、前記デバイスの位置に基づいた周波数割り当て情報を求める要求を含む第２のメッセージを、前記第１の送受信機から送信させる手順と、
前記第１の送受信機が受信する第３のメッセージから前記周波数割り当て情報を取得する手順と、
前記周波数割り当て情報が示す周波数帯域で無線通信を行うように第２の送受信機を設定する手順と
を実行させるためのプログラム。
【請求項１０】
前記コンピュータにさらに、前記デバイスの位置を求める要求を含む第４のメッセージを前記第１の送受信機から送信させる手順を実行させるための請求項９に記載のプログラム。
【請求項１１】
前記第１のメッセージは、正当性が証明されており、
前記コンピュータにさらに、正当性が証明されている前記第１のメッセージに基づいて前記第１のメッセージを認証する手順を実行させるための請求項９または１０に記載のプログラム。
【請求項１２】
前記第１のメッセージは、暗号化されており、
前記コンピュータにさらに、
前記第１のメッセージを復号化する手順を実行させるための
請求項９から１１のいずれか一項に記載のプログラム。
【請求項１３】
前記コンピュータにさらに、前記コンピュータが移動した旨を動き検出部が示すことに応じて、前記周波数割り当て情報によって示されている前記周波数帯域での前記第２の送受信機による無線通信を中止する手順を実行させるための請求項９から１２のいずれか一項に記載のプログラム。
【請求項１４】
前記コンピュータにさらに、複数のデバイスから、前記複数のデバイスが送信した無線信号の受信信号強度に応じて、一の前記デバイスを選択する手順を実行させるための請求項９から１３のいずれか一項に記載のプログラム。
【請求項１５】
コンピュータに、
前記コンピュータの位置を決定する手順と、
前記コンピュータの位置の情報を含む第１のメッセージを送受信機から無線送信させる手順と
を実行させ、
前記第１のメッセージを前記送受信機から無線送信させる手順は、前記コンピュータの位置を求める要求を含む第２のメッセージを前記送受信機が受信することに応じて、前記第１のメッセージを前記送受信機から無線送信させる手順を有するプログラム。
【請求項１６】
前記コンピュータにさらに、前記第１のメッセージを前記送受信機から無線送信させる手順の前に、前記第１のメッセージの正当性を証明する手順を実行させるための請求項１５に記載のプログラム。
【請求項１７】
前記コンピュータにさらに、前記第１のメッセージを前記送受信機から無線送信させる手順の前に、前記第１のメッセージを暗号化する手順を実行させるための請求項１５または１６に記載のプログラム。
【請求項１８】
前記コンピュータの位置を決定する手順は、前記送受信機が受信したグローバルポジショニングシステム（ＧＰＳ）信号に基づいて前記コンピュータの位置を決定する手順を有する請求項１５から１７のいずれか一項に記載のプログラム。
【請求項１９】
前記コンピュータの位置を決定する手順は、加速度計が供給する信号、および、前記コンピュータの既に決定された位置に基づいて、前記コンピュータの位置を決定する手順を含む請求項１５から１８のいずれか一項に記載のプログラム。
【発明の詳細な説明】
【技術分野】
【０００１】
＜関連出願＞
本開示は、米国特許出願第１３／４１８，９３４号（出願日：２０１２年３月１３日）に基づく優先権を主張し、米国仮特許出願第６１／４５２，４７５号（出願日：２０１１年３月１４日、発明の名称：「無線位置割り当て（Ｗｉｒｅｌｅｓｓ  Ｌｏｃａｔｉｏｎ  Ａｓｓｉｇｎｍｅｎｔ）」）による恩恵を主張する。上記の特許文献の開示内容は全て、参照により本願に組み込まれる。
【０００２】
本開示は、以下に記載する米国特許出願に関する。
【０００３】
米国仮特許出願第６１／４４４，５９０号（出願日：２０１１年２月１８日、発明の名称：「動的チャネル割り当て（Ｄｙｎａｍｉｃ  Ｃｈａｎｎｅｌ  Ａｌｌｏｃａｔｉｏｎ）」）
【０００４】
米国仮特許出願第６１／４５１，３１０号（出願日：２０１１年３月１０日、発明の名称：「動的チャネル割り当て（Ｄｙｎａｍｉｃ  Ｃｈａｎｎｅｌ  Ａｌｌｏｃａｔｉｏｎ）」）
【０００５】
米国仮特許出願第６１／４４０，８１４号（出願日：２０１１年２月８日、発明の名称：「ＩＥＥＥ８０２．１１ａｆ」）
【０００６】
米国仮特許出願第６１／４４３，１８５号（出願日：２０１１年２月１５日、発明の名称：「ＩＥＥＥ８０２．１１ａｆ」）
【０００７】
米国特許出願第１３／３６９，１０２号（出願日：２０１１年２月８日、発明の名称：「ＷＬＡＮチャネル割り当て」）
【０００８】
上述の特許出願はいずれの内容もすべて、参照により本願に組み込まれる。
【０００９】
本開示は、概して無線通信に関する。本開示は、具体的には、無線通信用の位置ベースのスペクトラム割り当てに関する。
【背景技術】
【００１０】
無線スペクトルの割り当ては従来、固定されていた。例えば、政府機関が特定の周波数帯域を特定の都市において特定のＴＶチャネルに割り当て、他者がこの帯域をその都市で使うことを禁止していた。この固定割り当ては通常、別の割り当てが行われるまで続く。
【００１１】
現在、一時的位置ベースの割り当てを利用することで、無線通信用の無線スペクトルが幾つか利用可能となっている。つまり、このスペクトルは、要求元の無線デバイスの位置に基づき、要求に応じて割り当てられる。この種類のスペクトルは、「ホワイトスペース」と呼ばれることが多い。例えば、アナログＴＶ放送からデジタルＴＶ放送への切り替えによって利用可能となったブロードキャストＴＶチャネルは、「ＴＶホワイトスペース」と呼ばれることが多い。ＴＶホワイトスペースは、提供する帯域幅は、Ｗｉ−Ｆｉよりもはるかに大きく、「スマート家電」、および、ホワイトスペースチャネルを介して通信するその他のスマートデバイスをサポートするものと期待されている。例えば、ユーザは、ホワイトスペースチャネルを利用して、ＴＶセット、湯沸かし器等の機器をリモートに監視および制御するとしてよい。
【００１２】
図１は、従来のホワイトスペース割り当てプロセスを説明するための図である。図１を参照すると、無線デバイス１０２は、ＧＰＳ信号１０４を用いて自身の位置を決定した後、例えば、インターネット等のワイドエリアネットワーク（ＷＡＮ）１１０を介して、スペクトル割り当てサーバ１０８に対してホワイトスペース割り当て要求１０６を送信する。要求１０６は、無線デバイス１０２の位置を含む。１１２において、サーバ１０８は、スペクトル割り当てデータベース１１４を確認して、無線デバイス１０２の位置に基づいて、利用可能周波数帯域（本明細書では、「チャネル」とも呼ぶ）を取得する。１１６において、サーバ１０８は、無線デバイス１０２にホワイトスペースチャネルを割り当てる。無線デバイス１０２は、１１８において、割り当てたホワイトスペースチャネルを介して、無線通信を行うことができる。
【００１３】
図１の従来の位置ベースの無線スペクトル割り当てによると、無線デバイス１０２は自身の位置を決定する必要がある。テレビホワイトスペースに関するＦＣＣ規制では、Ｍｏｄｅ  ＩＩデバイスはこのために、ＧＰＳ受信機等の地理位置情報取得機能を持つことを義務付けている。しかし、ホワイトスペースを利用し得るデバイス全てが、このような地理位置情報取得機能を持っているわけではない。ＧＰＳ受信機を、携帯型でないコスト重視の消費者向けデバイスに組み込むのはコストが高くなり過ぎる場合がある。例えば、テレビセットは、据え置き型であり、通常はＧＰＳ機能を持たない。ＧＰＳ受信機をテレビセットに追加すると、ホワイトスペースを利用できるようになるという効果を得るだけだとすれば、コストが高くなり過ぎる。また、テレビセット等の室内デバイスは、ＧＰＳ衛星から遮断されているので、テレビセットは自身の位置を取得することができない。
【００１４】
または、ＦＣＣ規制では、据え置き型デバイスは、「プロフェッショナルによって設置する」よう求めている。免許を持った設置業者が無線デバイス１０２の位置を設定する。しかし、この方法はコストが非常に高く、無線デバイスは部屋の移動ですら無理な程、移動が禁止される。
【発明の概要】
【課題を解決するための手段】
【００１５】
概して、一の側面によると、ある実施形態は、第１の送受信機と、周波数割り当て情報で示される周波数帯域で無線通信を行う第２の送受信機とを備え、第１の送受信機は、第１のデバイスから、第１のデバイスの位置を含む第１のメッセージを受信する受信機と、第１のデバイスの位置、および、第１のデバイスの位置に基づいた周波数割り当て情報を求める要求を含む第２のメッセージを送信する送信機とを有し、受信機はさらに、前記周波数割り当て情報を含む第３のメッセージを受信する装置を特徴とする。
【００１６】
概して、一の側面によると、ある実施形態は、コンピュータで実行可能な命令を具現化しているコンピュータ可読媒体を特徴とする。当該命令は、デバイスの第１の送受信機が受信した第１のメッセージからデバイスの位置を取得する手順と、デバイスの位置の情報、および、デバイスの位置に基づいた周波数割り当て情報を求める要求を含む第２のメッセージを、第１の送受信機から送信させる手順と、第１の送受信機が受信する第３のメッセージから周波数割り当て情報を取得する手順と、周波数割り当て情報が示す周波数帯域で無線通信を行うように第２の送受信機を設定する手順とを当該コンピュータに実行させるための命令である。
【００１７】
概して、一の側面によると、ある実施形態は、コンピュータで実行可能な命令を具現化しているコンピュータ可読媒体を特徴とする。当該命令は、コンピュータの位置を決定する手順と、コンピュータの位置の情報を含む第１のメッセージを送受信機から無線送信させる手順とを当該コンピュータに実行させるための命令であり、第１のメッセージを送受信機から無線送信させる手順は、コンピュータの位置を求める要求を含む第２のメッセージを送受信機が受信することに応じて、第１のメッセージを送受信機から無線送信させる手順を有する。
【００１８】
１以上の実施形態の詳細な内容は、添付図面および以下の説明で説明している。その他の特徴は、説明および図面を参照することで、そして請求項から明らかになるであろう。
【図面の簡単な説明】
【００１９】
本明細書で用いる参照番号の最大桁は、当該参照番号が最初に登場する図面の番号を示している。
【図１】従来のホワイトスペース割り当てプロセスを説明するための図である。
【図２】ホワイトスペースデバイスがデジタルテレビセットでありアシスタントデバイスがスマートフォンである実施形態を示す図である。
【図３】一実施形態に係るＤＴＶ２０４の詳細な内容を示す図である。
【図４】一実施形態に係るスマートフォン２０２の詳細な内容を説明する図である。
【図５】一実施形態に係る、図２から図４に図示した実施形態の処理５００を示す図である。
【図６】アシスタントデバイスがワイヤレスローカルエリアネットワーク（ＷＬＡＮ）６０６内のアクセスポイント６０２である実施形態を示す。
【発明を実施するための形態】
【００２０】
本開示の実施形態は、地理位置情報取得機能を持たない無線デバイスについて、アシスト型の位置ベースの無線スペクトル割り当てを提供する。説明の便宜上、このスペクトルは本明細書において「ホワイトスペース」と呼び、ホワイトスペース内でチャネル割り当てを取得して、割り当てられたホワイトスペースチャネルを介して通信を実行する無線デバイスは、「ホワイトスペースデバイス」と呼ぶ。しかし、開示した実施形態は、無線デバイスの位置に基づいて割り当てられた無線スペクトルであればどのような無線スペクトルにも適用される。
【００２１】
本明細書で用いる場合、「サーバ」という用語は概して、電子デバイスまたは電子機構を意味し、「メッセージ」、「要求」、「応答」等の用語は概して、デジタルメッセージを表す電子信号を意味する。本明細書で用いる場合、「機構」という用語は、ハードウェア、ソフトウェアまたはこれらの任意の組み合わせを意味する。これらの用語は、以下の説明を簡単にするために用いられている。本明細書で説明するサーバおよび機構は、任意の標準的な汎用コンピュータで実現することができるか、または、特化したデバイスとして実現することもできる。さらに、一部の実施形態はクライアント−サーバ方式に基づいて説明しているが、他の実施形態では、ピア・ツー・ピア方式等、他の方式を利用する。
【００２２】
開示した実施形態では、地理位置情報取得機能を持つ１以上の「アシスタント」デバイスが、ホワイトスペースデバイスに対して位置情報を供給する。そして、ホワイトスペースデバイスは、この位置情報を用いてホワイトスペースチャネル割り当てを取得する。ホワイトスペースデバイスにホワイトスペースチャネルが割り当てられると、ホワイトスペースデバイスは当該チャネルを介して無線通信を実行できるようになる。
【００２３】
図２は、ホワイトスペースデバイスがデジタルテレビセットでありアシスタントデバイスがスマートフォンである実施形態を示す図である。説明している実施形態では図２の構成要素はある構成を持つものとして図示されているが、他の実施形態では他の構成を持つとしてもよい。例えば、図２の構成要素は、ハードウェア、ソフトウェア、または、これらの組み合わせで実現されるとしてよい。
【００２４】
図２を参照すると、デジタルテレビセット（ＤＴＶ）２０４は地理位置情報取得機能を持たないが、ホワイトスペースチャネルを介して、他の近隣のホワイトスペースデバイス２７０と無線通信を実行する機能は持つ。スマートフォン２０２は、例えば、ＧＰＳ信号１０４を利用する地理位置情報取得機能を持つ。スマートフォン２０２は、例えば、ワイヤレスローカルエリアネットワーク（ＷＬＡＮ）２０６を用いて、自身の位置をＤＴＶ２０４に通信するとしてよい。ＤＴＶ２０４は、位置を取得すると、ＦＣＣ  Ｍｏｄｅ  ＩＩデバイスとして機能することができる。つまり、ＤＴＶ２０４は、図１を参照しつつ上述した方法のように従来の方法に応じて、ワイドエリアネットワーク（ＷＡＮ）１１０を介して、スペクトル割り当てサーバ１０８およびスペクトル割り当てデータベース１１４から、ホワイトスペースチャネル割り当てを取得することができる。
【００２５】
図３は、一実施形態に係るＤＴＶ２０４の詳細な内容を示す図である。説明した実施形態では図３の構成要素はある構成を持つものとして図示されているが、他の実施形態では他の構成を持つとしてもよい。例えば、図３の構成要素は、ハードウェア、ソフトウェア、または、これらの組み合わせで実現され得る。
【００２６】
ＤＴＶ２０４は、送受信機３０６、動き検出部３０８、認証回路３１０、暗号回路３１２、および、信号強度回路３１６を備える。認証回路３１０および暗号回路３１２は、別箇の回路として実現することもできるし、または、１以上のプロセッサとして実現することも可能である。信号強度回路３１６は、送受信機３０６の一部として実現され得る。ＤＴＶ２０４はさらに、他の回路およびモジュール３１８、例えば、デジタルテレビ受信機、ディスプレイ、スピーカ、リモートコントロールインターフェース、プロセッサ等を備える。
【００２７】
送受信機３０６は、インターネットプロトコル通信等の無線ネットワーク通信および／または有線ネットワーク通信をサポートするネットワーク送受信機３２０と、ホワイトスペースチャネルを介した無線通信をサポートするホワイトスペース送受信機３２２とを有する。ネットワーク送受信機３２０は、ネットワーク送信機３２４およびネットワーク受信機３２６を含む。ホワイトスペース送受信機３２２は、ホワイトスペース送信機３３０およびホワイトスペース受信機３３２を含む。送受信機３２０および３２２は、まとめて実現することもできるし、別箇に実現することもできるし、または、１以上の回路を共有しつつ実現することもできる。
【００２８】
図４は、一実施形態に係るスマートフォン２０２の詳細な内容を説明する図である。説明した実施形態では図４の構成要素はある構成を持つものとして図示されているが、他の実施形態では他の構成を持つとしてもよい。例えば、図４の構成要素は、ハードウェア、ソフトウェア、または、これらの組み合わせで実現され得る。
【００２９】
スマートフォン２０２は、受信したＧＰＳ信号４３８に基づく地理位置情報取得機能を持つＧＰＳ受信機４４０を備える。スマートフォン２０２はさらに、無線ネットワーク通信用のＷｉ−Ｆｉ送受信機４４２を備える。Ｗｉ−Ｆｉ送受信機４４２は、Ｗｉ−Ｆｉ送信機４４４およびＷｉ−Ｆｉ受信機４４６を有する。スマートフォン２０２はさらに、加速度計４４８、証明回路４５０、および、暗号回路４５２を備える。証明回路４５０および暗号回路４５２は、別箇の回路として実現することもできるし、または、１以上のプロセッサとして実現することもできる。スマートフォン２０２はさらに、無線電話網を介して通信を行う無線電話送受信機、ディスプレイ、スピーカ、制御インターフェース、プロセッサ等、他の回路およびモジュール４５４を備える。
【００３０】
図５は、一実施形態に係る、図２から図４に図示した実施形態の処理５００を示す図である。説明した実施形態では処理５００の構成要素はある構成を持つものとして図示されているが、他の実施形態では他の構成を持つとしてもよい。例えば、さまざまな実施形態では、処理５００の構成要素の一部または全ては、順序を変えて、同時に、等の方法で実行することができる。また、処理５００の一部の構成要素は実行されない場合があり、直前の構成要素の直後に実施されない場合がある。
【００３１】
一般的に、処理５００は、５０２においてスマートフォン２０２が自身の位置を取得することから開始される。図２の実施形態では、スマートフォン２０２は、スマートフォン２０２が受信したＧＰＳ信号１０４に基づき、スマートフォン２０２の位置を決定するＧＰＳ受信機４４０を備える。ＧＰＳ位置決め方式を利用するためには、信号１０４が遮断されたり、または、減衰が過剰になったりすることは避けなければならない。これは、一般的に、位置の決定は、ＤＴＶ２０４が設けられている建物の外部で行う必要があることを意味する。建物が小さい場合は、スマートフォン２０２の位置とＤＴＶ２０４の位置との差異は、ホワイトスペースチャネル割り当てを取得する目的のためには重要でないとしてよい。しかし、他の場合には、例えば、ＤＴＶ２０４が大きな建物の内部の奥に位置している場合には、位置の差異を考慮しなければならない場合もある。このような場合、スマートフォン２０２は、スマートフォン２０２の事前に決定した位置と、ＤＴＶ２０４の位置との間の距離および方向を測定するべく、加速度計４４８等を備えるとしてよい。この情報から、スマートフォン２０２はＤＴＶ２０４の位置を良好に推定することができる。
【００３２】
スマートフォン２０２はこの後、位置情報をＤＴＶ２０４に供給する。図５の実施形態では、このプロセスは、ＤＴＶ２０４からの要求によって開始される。しかし、他の方法を利用することもできる。一部の実施形態によると、スマートフォン２０２は、位置情報をＤＴＶ２０４に供給するアプリケーションを実行する。例えば、当該アプリケーションはＤＴＶ２０４の製造者によって供給され得る。
【００３３】
図５を再度参照すると、５０４において、スマートフォン２０２は、ＤＴＶ２０４の位置を要求するＤＴＶ２０４からのメッセージを受信する。図２の実施形態によると、この要求は、Ｗｉ−Ｆｉによって、ＤＴＶ２０４のネットワーク送信機３２４から、スマートフォン２０２のＷｉ−Ｆｉ受信機４４６に送信される。しかし、他の通信方法も利用できる。
【００３４】
この要求に応じて、スマートフォン２０２は、５１０において、位置情報を含むメッセージをＤＴＶ２０４に送信する。説明した実施形態では、位置情報はスマートフォン２０２の緯度および経度を含む。しかし、位置情報は他の形式で用意することもでき、高度等の他のパラメータを含むとしてもよい。
【００３５】
ホワイトスペースチャネル割り当てを取得する際に不正行為を防止するべく、当該メッセージは暗号化するとしてよい。このため、５０６において、スマートフォン２０２の証明回路４５０は、送信前に当該メッセージの正当性を証明する。つまり、証明回路４５０は、スマートフォン２０２またはスマートフォン２０２のユーザの識別情報の証拠を提供する。例えば、証明回路４５０はデジタル的にメッセージに署名する。しかし、他の証明方法を代わりに用いることもできる。別のセキュリティ対策として、スマートフォン２０２の暗号回路４５２は、５０８において、送信前にメッセージを暗号化する。さまざまな実施形態では、対称鍵暗号化、非対称鍵暗号化等を利用することができる。
【００３６】
位置情報を含むメッセージは、５１０において、Ｗｉ−Ｆｉによって、スマートフォン２０２のＷｉ−Ｆｉ送信機４４４から、ＤＴＶ２０４のネットワーク受信機３２６へと送信される。しかし、他の通信方法も利用することができる。ＤＴＶ２０４の暗号回路３１２は、５１２において、メッセージを復号化する。ＤＴＶ２０４の認証回路３１０は、５１４において、メッセージの正当性を認証する。例えば、認証回路３１０は、当該メッセージに署名するために用いられたデジタル署名の正当性を確認する。この時点において、ＤＴＶ２０４は、スマートフォン２０２用の位置情報を持つ。
【００３７】
場合によっては、ＤＴＶ２０４は、５１０において、複数のデバイスから応答を受信する。例えば、複数のスマートフォン２０２がＤＴＶ２０４のＷｉ−Ｆｉ範囲内にある場合、スマートフォン２０２のうち２以上が応答する場合がある。一部の実施形態によると、ＤＴＶ２０４は、スマートフォン２０２のうち１つを選択して、最も正確な位置推定情報を取得する。このような一実施形態によると、ＤＴＶ２０４は、最も強度の高い信号を選択するべく信号強度回路３１６を利用する。最も強度の高い信号は、最も近いスマートフォン２０２からの信号であるはずである。ＤＴＶ２０４はこの後、選択された信号で供給される位置情報を得る。他の実施形態では、ＤＴＶ２０４は、２つ以上のスマートフォン２０２からの位置情報を組み合わせて、ＤＴＶ２０４の位置推定情報を取得する。
【００３８】
ＤＴＶ２０４はこの後、５１６において、周波数割り当て情報要求を、スペクトル割り当てサーバ１０８に送信する。当該要求は、スマートフォン２０２の位置を含む。具体的には、ＤＴＶ２０４のネットワーク送信機３２４は、ネットワーク１１０を介してスペクトル割り当てサーバ１０８に当該要求を送信する。
【００３９】
５１８において、スペクトル割り当てサーバ１０８は、スマートフォン２０２の位置に基づき、スペクトル割り当てデータベース１１４を検索することによって、ホワイトスペースチャネルを選択する。例えば、スペクトル割り当てデータベース１１４は、スマートフォン２０２の位置における現在の周波数割り当て情報を列挙し、スペクトル割り当てサーバ１０８が、当該位置について現在割り当てられていないチャネルを選択する。
【００４０】
５２０において、スペクトル割り当てサーバ１０８は、メッセージをＤＴＶ２０４に送信する。ＤＴＶ２０４のネットワーク受信機３２６は、メッセージを受信する。メッセージは、スペクトル割り当てサーバ１０８によってＤＴＶ２０４に割り当てられたホワイトスペースチャネルを示す。一部の実施形態によると、さらにセキュリティを高めるべく、ＤＴＶ２０４とスペクトル割り当てサーバ１０８との間の通信は、正当性が証明／認証されており、および／または、暗号化されている。
【００４１】
５２２において、ＤＴＶ２０４は、ホワイトスペース送受信機３２２を、スペクトル割り当てサーバ１０８がＤＴＶ２０４に割り当てたホワイトスペースチャネルを利用するように設定する。５２４において、ホワイトスペース送受信機３２２は、スペクトル割り当てサーバ１０８によってＤＴＶ２０４に割り当てられたホワイトスペースチャネルを介して、無線ホワイトスペース信号１１８を利用して、他のホワイトスペースデバイス２７０と無線通信を行う。
【００４２】
ホワイトスペースチャネル割り当ては、スペクトル割り当て要求においてＤＴＶ２０４が提供する位置についてのみ、有効である。このため、ＤＴＶ２０４がこの位置から移動すると、このホワイトスペースチャネルを介して通信することはできなくなる。この規制を強化するべく、図４の実施形態では、ＤＴＶ２０４は、動き検出部３０８を備える。５２６において、動き検出部３０８は、ＤＴＶ２０４が移動したことを示す。５２８において、動きを検出したことに応じて、ホワイトスペース受信機３３２およびホワイトスペース送信機３３０を含むホワイトスペース送受信機３２２は、割り当てられたホワイトスペースチャネルで行う無線通信を中止する。動き検出部３０８がＤＴＶ２０４は再度停止状態になったことを示すと、処理５００は再度開始されて、ＤＴＶ２０４について新しいホワイトスペースチャネル割り当てを取得する。ＤＴＶ２０４はさらに、動きが検出されている期間の長さを考慮するとしてよい。例えば、人がＤＴＶ２０４にぶつかったり、または、ＤＴＶ２０４を別の部屋へ移動させたりすると、この動きは長期間にわたって続くことはないので、ホワイトスペースチャネル割り当て処理５００を再度トリガするべきではない。
【００４３】
図２の実施形態では、アシスタントデバイスはスマートフォン２０２である。他の実施形態によると、他の種類のデバイスは、位置情報をホワイトスペースデバイスに供給するアシスタントデバイスとして動作する。図６は、アシスタントデバイスがワイヤレスローカルエリアネットワーク（ＷＬＡＮ）６０６内のアクセスポイント６０２である実施形態を示す。説明した実施形態では図６の構成要素はある構成を持つものとして図示されているが、他の実施形態では他の構成を持つとしてもよい。例えば、図６の構成要素は、ハードウェア、ソフトウェア、または、これらの組み合わせで実現され得る。
【００４４】
アクセスポイントの６０２は、アクセスポイントの位置のリストを持つアクセスポイントデータベース６１４から自身の位置を取得することができる。このようなアクセスポイントデータベース６１４は、例えば、インターネットサービスプロバイダによって、編集されており現在利用されている。アクセスポイント６０２はこの後、位置情報を、ＤＴＶ２０４等の近隣のホワイトスペースデバイスに供給することができる。アクセスポイント６０２に代えて、または、アクセスポイント６０２と共に、コンピュータ６１２がこの機能を実行することもできる。
【００４５】
図２の実施形態では、ホワイトスペースデバイスはＤＴＶ２０４である。しかし、ホワイトスペースデバイスは、ホワイトスペース通信を実行可能な任意の種類のデバイスであってよいものと認められたい。このようなデバイスは、他の電子デバイス、家電製品、サーモスタット、自動車等を含むとしてよい。
【００４６】
図２の実施形態では、スマートフォン２０２は、ＧＰＳ信号を用いてその位置を決定する。しかし、アシスタントデバイスは、任意の方法を用いて、自身の位置を決定するとしてよい。例えば、他の衛星位置決めシステムが計画されている。このような衛星システムに代えて、または、このような衛星システムと共に、地上波送信機を利用することができる。
【００４７】
本開示のさまざまな実施形態は、デジタル電子回路で、または、コンピュータハードウェア、ファームウェア、ソフトウェア、または、これらの組み合わせで実現され得る。本開示の実施形態は、プログラマブルプロセッサによって実行可能とするべく、コンピュータ可読格納デバイスで有形に具現化されているコンピュータプログラム製品で実現され得る。本明細書で説明した処理は、入力データに演算を実行して出力を生成することによって機能を実行するための複数の命令から成るプログラムを実行するプログラマブルプロセッサによって実行可能である。本開示の実施形態は、データ格納システムとの間でデータおよび命令を送受信するべく接続されている少なくとも１つのプログラマブルプロセッサと、少なくとも１つの入力デバイスと、少なくとも１つの出力デバイスとを備えるプログラマブルシステムで実行可能な１以上のコンピュータプログラムで実現され得る。各コンピュータプログラムは、高級プロシージャプログラミング言語またはオブジェクト指向型プログラミング言語で、または、所望されればアセンブリ言語または機械言語で、実現されるとしてよい。いずれの場合でも、言語はコンパイラ型言語またはインタプリタ型言語であってよい。適切なプロセッサは、一例として挙げると、汎用マイクロプロセッサおよび特定用途向けマイクロプロセッサの両方を含む。一般的には、プロセッサは、リードオンリーメモリおよび／またはランダムアクセスメモリから命令およびデータを受信する。一般的には、コンピュータは、データファイルを格納する１以上の大容量ストレージデバイスを含む。このようなデバイスは、磁気ディスク、例えば、内部ハードディスクおよび取り外し可能なディスク、光磁気ディスク、光ディスク、および、ソリッドステートディスクを含む。コンピュータプログラムの命令およびデータを有形に具現化するのに適した格納デバイスは、全ての形態の不揮発性メモリを含む。例を挙げると、ＥＰＲＯＭ、ＥＥＰＲＯＭおよびフラッシュメモリデバイス等の半導体メモリデバイス、内部ハードディスクおよび取り外し可能なディスク等の磁気ディスク、光磁気ディスクおよびＣＤ−ＲＯＭディスクがある。上記したものはいずれも、特定用途向け集積回路（ＡＳＩＣ）で補完されるとしてもよいし、または、ＡＳＩＣに組み込まれるとしてもよい。
【００４８】
複数の実施形態を説明した。しかし、本開示の範囲から逸脱することなくさまざまな変形例が可能であるとしてよい。したがって、他の実施形態は以下に記載する請求項の範囲に含まれる。
【図１】
2014508483.tif 000003
【図２】
2014508483.tif 000004
【図３】
2014508483.tif 000005
【図４】
2014508483.tif 000006
【図５】
2014508483.tif 000007
【図６】
2014508483.tif 000008
【国際調査報告】
2014508483.tif 000009
2014508483.tif 000010
2014508483.tif 000011